(57)【要約】【課題】防護隔板の縁用金属管装置の提供。【解決手段】外保護管と内スリーブを具え、該外保護管が切欠きを具えた管体とされて二つの対応する係止端と二つの係止端間の溝を具え、該内スリーブが凹部を具えた管体とされて二つの対応する嵌合端と該嵌合端間の凹溝を具え、外保護管の係止端が内スリーブの嵌合端に嵌合し、該内スリーブの凹溝が外保護管の溝と収容空間を形成し、これにより防護隔板の縁用金属管装置の簡易製造、快速量産及び製造コスト削減の機能を達成する。【選択図】　　　　図１
2004124597.tif 000002
【特許請求の範囲】
【請求項１】
防護板の縁用金属管装置において、分離可能に相互に連結される外保護管と内スリーブを具え、該外保護管と内スリーブにそれぞれ対応する溝と凹溝が設けられ、該外保護管の溝と内スリーブの凹溝が一つの収容空間を形成し、嵌入物の収容と固定に供されることを特徴とする、防護板の縁用金属管装置。
【請求項２】
請求項１に記載の防護板の縁用金属管装置において、
外保護管が溝を具えた管体とされて二つの相互に対応する係止端と二つの係止端間の溝を具え、該係止端が外保護管の端辺を折り曲げて形成され、且つ該係止端が上向きに折り曲げられて当接端辺が形成され、
内スリーブが凹部を具えた管体とされ、二つの対応する嵌合端と該嵌合端の間の凹溝を具え、該嵌合端内スリーブの端辺を折り曲げてなり、且つ該嵌合端が下向きに折られて嵌め辺が形成され、
外保護管の係止端と内スリーブの嵌合端が嵌合され、内スリーブの凹溝と外保護管の溝の間に収容空間が形成されたことを特徴とする、防護板の縁用金属管装置。
【請求項３】
請求項２に記載の防護板の縁用金属管装置において、当接端辺と係止端間に嵌合溝が設けられたことを特徴とする、防護板の縁用金属管装置。
【請求項４】
請求項３に記載の防護板の縁用金属管装置において、嵌め辺と内スリーブの間に嵌合溝が設けられたことを特徴とする、防護板の縁用金属管装置。
【請求項５】
請求項１に記載の防護板の縁用金属管装置において、内スリーブと外保護管が異なる金属材の組合せとされたことを特徴とする、防護板の縁用金属管装置。
【請求項６】
請求項１に記載の防護板の縁用金属管装置において、外保護管が溝を具えた管体とされ、相互に対応する二つの係止端と該二つの係止端の間の溝を具え、該係止端が該外保護管の端辺を折り曲げてなり、且つ外側に向けて相互に垂直を呈するよう横向きに折り曲げられて当接端辺が形成され、
内スリーブが板体状を呈し、端部当接面と該端部当接面の両端辺が内向きに平行に折り曲げられてなる横向嵌合端を具え、該横向嵌合端と該端部当接面の間に横向きの嵌合溝が形成され、
該外保護管の当接端辺と内スリーブの嵌合溝が嵌合され、内スリーブと外保護管の溝の間に収容空間が形成されて、防護隔板が収容固定されたことを特徴とする、防護板の縁用金属管装置。
【請求項７】
請求項６に記載の防護板の縁用金属管装置において、防護隔板が金属板材或いは非金属板材とされたことを特徴とする、防護板の縁用金属管装置。
【請求項８】
請求項６に記載の防護板の縁用金属管装置において、内スリーブの端部当接面と嵌合端の間に係止端が設けられ、該係止端と端部当接面の間に凹溝が形成されたことを特徴とする、防護板の縁用金属管装置。
【請求項９】
請求項６に記載の防護板の縁用金属管装置において、外保護管の係止端と内スリーブの係止端が平面を呈するよう連接されたことを特徴とする、防護板の縁用金属管装置。
【請求項１０】
請求項１に記載の防護板の縁用金属管装置において、
外保護管は、溝を具えた管体とされ、二つの相互に対応する係止端とこの二つの係止端の間の溝を具え、該係止端が外保護管の端辺を折り曲げて形成され、且つ外向きにほぼ垂直に横向きに折り曲げられて当接端辺が形成され、
内スリーブが、端部当接面と該端部当接面の両端辺が上向きにほぼ垂直に折り曲げられてなる係止端と、該係止端が外向きにほぼ平行に折り曲げられてなる横向嵌合端を具え、該横向嵌合端と該係止端の間に凹溝が形成され、該嵌合端が横向きの嵌合溝を具え、
外保護管の当接端辺と内スリーブの嵌合溝が相互に嵌合され、外保護管の溝と内スリーブの凹溝が収容空間を形成し、該収容空間に防護隔板が収容固定されたことを特徴とする、防護板の縁用金属管装置。
【発明の詳細な説明】
【０００１】
【発明の属する技術分野】
本発明は一種の防護板の縁用金属管装置に係り、特に分離式に嵌合されてなる防護板の縁用金属管装置であり、製造が簡易で快速量産可能で、経済利益に符合する防護板の縁用金属管装置に関する。
【０００２】
【従来の技術】
周知の手すり用の防護板は、二つの縁用金属管装置の間に防護隔板を嵌合してなり空間安全防護用とされ、図１４、１５に示されるように、このような周知の防護板の縁用金属管装置１００は、鋼板９０を折り曲げて形成され、並びに凹接板９１及び凹溝９２が形成され、最後に該鋼板９０の両端が溶接され、防護板の縁用金属管装置構造が形成されている。しかし、この防護板の縁用金属管装置１００は溶接を必要とし、且つ溶接後に該防護板の縁用金属管装置１００の形成するラン９３に対して更に研磨作業を行わねばならず、また溶接後に該防護板の縁用金属管装置１００はまっすぐにならずに折れ曲がりやすく、その品質の向上が難しく、ゆえにその工程は煩瑣で量産の経済効果を具備せず、且つ溶接及び研磨の工程はいずれも高い危険性と空気汚染性を有するため、更なる改良の必要があった。
【０００３】
【発明が解決しようとする課題】
本発明者は周知のアームレスト板の構造を鑑み、その製造が遅く量産できず、コストが高い欠点に対して、改善を試み、本発明の防護板の縁用金属管装置を提供するものである。
【０００４】
本発明の主要な目的は、一種の防護板の縁用金属管装置を提供することにあり、それは、簡易製造と快速量産の機能を有し、経済利益の要求に符合するものとする。
【０００５】
本発明の別の目的は、一種の防護板の縁用金属管装置を提供することにあり、それは、その構造設計により防護板の縁用金属管装置の製造に溶接や研磨等の製造プロセスを不要とし、防護板の縁用金属管装置をまっすぐとして折れ曲がりを発生させず、品質を大幅に向上し、工程を減らし製造コストを減らし、安全性、汚染性の心配を免除したものとする。
【０００６】
本発明のまた別の目的は、一種の防護板の縁用金属管装置を提供することにあり、それは、分離式の構造組合せ設計により、十分に金属材帯板を利用し材料損耗を減少する機能を達成できるものとする。
【０００７】
本発明のさらに別の目的は、一種の防護板の縁用金属管装置を提供することにあり、それは、防護板の縁用金属管装置表面にランの痕跡を残さず、防護板の縁用金属管装置の品質を向上するものとする。
【０００８】
本発明のさらにまた別の目的は、一種の防護板の縁用金属管装置を提供することにあり、その保護板の凹溝深さが調整互換性を有し、異なる要求により弾性的組合せ運用できる機能を有するものとする。
【０００９】
【課題を解決するための手段】
請求項１の発明は、防護板の縁用金属管装置において、分離可能に相互に連結される外保護管と内スリーブを具え、該外保護管と内スリーブにそれぞれ対応する溝と凹溝が設けられ、該外保護管の溝と内スリーブの凹溝が一つの収容空間を形成し、嵌入物の収容と固定に供されることを特徴とする、防護板の縁用金属管装置としている。
請求項２の発明は、請求項１に記載の防護板の縁用金属管装置において、
外保護管が溝を具えた管体とされて二つの相互に対応する係止端と二つの係止端間の溝を具え、該係止端が外保護管の端辺を折り曲げて形成され、且つ該係止端が上向きに折り曲げられて当接端辺が形成され、
内スリーブが凹部を具えた管体とされ、二つの対応する嵌合端と該嵌合端の間の凹溝を具え、該嵌合端内スリーブの端辺を折り曲げてなり、且つ該嵌合端が下向きに折られて嵌め辺が形成され、
外保護管の係止端と内スリーブの嵌合端が嵌合され、内スリーブの凹溝と外保護管の溝の間に収容空間が形成されたことを特徴とする、防護板の縁用金属管装置としている。
請求項３の発明は、請求項２に記載の防護板の縁用金属管装置において、当接端辺と係止端間に嵌合溝が設けられたことを特徴とする、防護板の縁用金属管装置としている。
請求項４の発明は、請求項３に記載の防護板の縁用金属管装置において、嵌め辺と内スリーブの間に嵌合溝が設けられたことを特徴とする、防護板の縁用金属管装置としている。
請求項５の発明は、請求項１に記載の防護板の縁用金属管装置において、内スリーブと外保護管が異なる金属材の組合せとされたことを特徴とする、防護板の縁用金属管装置としている。
請求項６の発明は、請求項１に記載の防護板の縁用金属管装置において、外保護管が溝を具えた管体とされ、相互に対応する二つの係止端と該二つの係止端の間の溝を具え、該係止端が該外保護管の端辺を折り曲げてなり、且つ外側に向けて相互に垂直を呈するよう横向きに折り曲げられて当接端辺が形成され、
内スリーブが板体状を呈し、端部当接面と該端部当接面の両端辺が内向きに平行に折り曲げられてなる横向嵌合端を具え、該横向嵌合端と該端部当接面の間に横向きの嵌合溝が形成され、
該外保護管の当接端辺と内スリーブの嵌合溝が嵌合され、内スリーブと外保護管の溝の間に収容空間が形成されて、防護隔板が収容固定されたことを特徴とする、防護板の縁用金属管装置としている。
請求項７の発明は、請求項６に記載の防護板の縁用金属管装置において、防護隔板が金属板材或いは非金属板材とされたことを特徴とする、防護板の縁用金属管装置としている。
請求項８の発明は、請求項６に記載の防護板の縁用金属管装置において、内スリーブの端部当接面と嵌合端の間に係止端が設けられ、該係止端と端部当接面の間に凹溝が形成されたことを特徴とする、防護板の縁用金属管装置としている。請求項９の発明は、請求項６に記載の防護板の縁用金属管装置において、外保護管の係止端と内スリーブの係止端が平面を呈するよう連接されたことを特徴とする、防護板の縁用金属管装置としている。
請求項１０の発明は、請求項１に記載の防護板の縁用金属管装置において、
外保護管は、溝を具えた管体とされ、二つの相互に対応する係止端とこの二つの係止端の間の溝を具え、該係止端が外保護管の端辺を折り曲げて形成され、且つ外向きにほぼ垂直に横向きに折り曲げられて当接端辺が形成され、
内スリーブが、端部当接面と該端部当接面の両端辺が上向きにほぼ垂直に折り曲げられてなる係止端と、該係止端が外向きにほぼ平行に折り曲げられてなる横向嵌合端を具え、該横向嵌合端と該係止端の間に凹溝が形成され、該嵌合端が横向きの嵌合溝を具え、
外保護管の当接端辺と内スリーブの嵌合溝が相互に嵌合され、外保護管の溝と内スリーブの凹溝が収容空間を形成し、該収容空間に防護隔板が収容固定されたことを特徴とする、防護板の縁用金属管装置としている。
【００１０】
【発明の実施の形態】
好ましくは、本発明は上述の目的と機能を達成するために、その採用する技術手段は、外保護管と内スリーブを具え、外保護管及び内スリーブが相互に係止位置決めし、内スリーブが外保護管内に位置する。該外保護管及び内スリーブがそれぞれ相互に対応する溝と凹溝を具え、該溝と凹溝が嵌入物を収容する空間を形成し、該嵌入物が該外保護管内に固定され、これにより該外保護管及び内スリーブの分離式の組合せ設計により、防護板の縁用金属管装置の簡単な製造工程と量産速度増加の目的を達成する。
【００１１】
さらに、該外保護管の溝の両側に係止端が設けられ、該係止端が外保護管の端辺を折り曲げてなり、該内スリーブの凹溝両側に嵌合端が設けられ、該嵌合端は内スリーブの端辺を折り曲げてなる。該外保護管の係止端が該内スリーブの嵌合端と相互に係合し、該外保護管と内スリーブの組合せの強固な連結状態が形成される。
【００１２】
また、該外保護管の係止端に上向きに折り曲げられて形成された嵌入端辺が設けられ、該嵌入端辺と係止端間に嵌合溝が形成され、該内スリーブの嵌合端に、下向きに折り曲げられて形成された嵌め辺が設けられ、該嵌め辺と内スリーブ間に嵌合溝が形成され、該内スリーブの嵌め辺が外保護管の嵌合溝内に嵌め込まれ、外保護管の嵌入端辺が内スリーブの嵌合溝内に嵌め込まれ、外保護管と内スリーブの結合固定が完成する。別に、外保護管と内スリーブ組合せ後、さらに防護板の縁用金属管装置の端辺において外保護管と内スリーブの相互に嵌合する係止端、嵌合端部分が挟持具を利用して加圧されて両者がやや変形させられて強固な位置決めが形成され、外保護管と内スリーブの縦向き方向の脱落が防止される。
【００１３】
また、好ましくは、本発明は上述の目的と機能を達成するために、その採用する技術手段は、外保護管及び内スリーブを含み、該外保護管は切欠きを具えた管体とされて二つの相互に対応する係止端及びこの二つの係止端の間の溝を具え、該係止端が外保護管の端辺を折り曲げて形成され、且つ外側に向けて相互に垂直を呈するように横向きに折られて嵌入端辺が形成されている。該内スリーブは板体状を呈し、それは当接面及び当接面の両端辺が内向きにほぼ平行に折り曲げられてなる横向嵌合端を具え、該嵌合端と該当接面間に横向きの嵌合溝が形成されている。外保護管の嵌入端辺と該内スリーブの嵌合溝が相互に係合し、該内スリーブと該外保護管の溝間に収容空間が形成され、保護隔板の収容と固定に供される。
【００１４】
さらに、該内スリーブは係合端を具え、該係合端は、当接面の両端辺がほぼ垂直に折り曲げられ、該係合端が外向きにほぼ平行に折り曲げられてこの横向嵌合端が形成され、且つこの嵌合端が横向きの嵌合溝を具え、当接面と該係合端間に凹溝を形成し、該外保護管の溝と該内スリーブの凹溝が収容空間を形成し、異なる深さの凹溝を具えた内スリーブを利用して要求に応じた弾性組合せ変化を達成する。
【００１５】
【実施例】
図１、２は本発明の防護板の縁用金属管装置の第１実施例の立体組合せ図、立体分解図である。図示されるように、本発明は外保護管１０と内スリーブ２０を具え、該外保護管１０は金属帯材を折り曲げて縦向きの切欠きを具えた円弧管状とされ、それは二つの相互に対応する係止端１１と二つの係止端１１間の溝１２を具え、該係止端１１は外保護管１０の端辺を折り曲げてなり、且つ続いて上向きに折り曲げられて縦向きの嵌入端辺１３を形成し、該嵌入端辺１３と係止端１１間に嵌合溝１４が形成されている。該内スリーブ２０も金属帯材を折り曲げてなる凹部を具えたＵ状管体とされ、それは二つの相互に対応する嵌合端２１と、二つの嵌合端２１間の凹溝２２を具えている。該嵌合端２１は該内スリーブ２０の端辺を折り曲げてなり、且つ続いて下向きに縦向きの嵌め辺２３が形成されている。該嵌め辺２３と内スリーブ２０の間に嵌合溝２４が形成されている。別に、該内スリーブ２０の該凹溝２２と反対の一面は端部当接面２０ａとされて、ガラス板、木板、金属板或いは非金属板等の防護隔板嵌入物に当接する。
【００１６】
図３、４は本発明の防護板の縁用金属管装置の第１実施例の組合せ側面図及び組合せ側面局部拡大表示図である。その組合せ時には、まず外保護管１０の係止端１１と内スリーブ２０の嵌合端２１を相互に嵌合させれば、内スリーブ２０の嵌め辺２３が外保護管１０の嵌合溝１４内に嵌入し、外保護管１０の嵌入端辺１３が内スリーブ２０の嵌合溝２４に嵌入し、これにより内スリーブ２０が外保護管１０の内側に嵌合位置決めされ、両者の結合固定が完成する。さらに、外保護管１０と内スリーブ２０を嵌合させた後、防護板の縁用金属管装置の端辺を挟持具を利用して加圧し、外保護管１０と内スリーブ２０の相互に嵌合する係止端１１、嵌合端２１部分を変形させて強固に位置決めし、外保護管１０と内スリーブ２０の縦方向の脱落を防止する。しかし、防護板の縁用金属管装置の端辺は実際の使用上、いずれも支柱に突き当たっているため、本発明の防護板の縁用金属管装置の外保護管１０と内スリーブ２０の嵌合後の端辺を緊密強固に位置決め或いは係止するか否かは重要でない。
【００１７】
該外保護管１０と内スリーブ２０を組み合わせてなる防護板の縁用金属管装置は内スリーブ２０が外保護管１０の内側に位置し、該内スリーブ２０の凹溝２２が収容保持空間が形成され、図１に示されるようであり、該凹溝２２に嵌め込まれる防護隔板（或いは同じ効果の保護板）３０の端辺は内スリーブ２０の端部当接面２０ａに当接し、防護隔板３０の両辺は外保護管１０の係止端１１に挟持され、全体が安定した防護板構造を形成している。
【００１８】
別に、内スリーブ２０は外保護管１０の内側に位置し、防護隔板３０の収容空間を提供し、且つ防護板の外観からは内スリーブ２０を見ることはできない。これにより、内スリーブ２０の外観を考慮する必要がない状況にあって、それは安い鉄材或いはその他の材料で製造でき、全体の製造コストを下げることができ、これがその構造設計から発生する長所の一つである。
【００１９】
図５、６は本発明の第２、３実施例を示し、図５に示される内スリーブ２０の凹溝２２ａと図６に示される内スリーブ２０の凹溝２２ｂは異なる深さを有する凹溝であり、外保護管１０が異なる深さの凹溝２２ａ、２２ｂを具えた内スリーブ２０と組み合わされることにより、異なる要求により異なる凹溝深さの凹溝の内スリーブ２０と弾性組合せ変化を形成する使用機能を有する。これは本発明の構造設計が発生するもう一つの長所である。
【００２０】
続いて図７に示されるように、本発明の第４実施例によると、内スリーブ２０の凹溝２２両側の端板２０１は嵌合端２１に較べ内に凹み、外保護管１０と内スリーブ２０組合せ後、該外保護管１０の溝１２側辺の係止端１１端縁は内スリーブ２０の端板２０１とほぼ平面を呈し、嵌入物３０（例えばガラス）に対してさらに大きな平面での挟持位置決め作用を形成する。
【００２１】
続いて図８、９は本発明の防護板の縁用金属管装置の第５実施例の立体組合せ図及び立体分解図であり、図示されるように、この装置は、外保護管１０ａと内スリーブ２０ｂを具え、該外保護管１０ａは金属材を折り曲げて切り口を有するように形成した円弧管状とされ、それは二つの対応する係止端１５と二つの係止端１５間の溝１４を具え、該係止端１５は外保護管１０ａの端辺が折り曲げられてなり、且つ続いて外側に相互に垂直となるよう横向きに折り曲げられて当接端辺１６が形成されている。該内スリーブ２０ｂもまた金属材を折り曲げて板体状としてなり、それは端部当接面２６及び該端部当接面２６の両端が内向きにほぼ平行に折り曲げられてなる嵌合端２５を具え、そのうち該端部当接面２６は防護隔板３０（金属或いは非金属板、例えば木板、プラスチックスチール板、及びガラス板とされる）に当接し、該嵌合端２５と該端部当接面２６間に横向きの嵌合溝２８が形成されている。
【００２２】
図１０、１１も参照されたい。本発明の防護板の縁用金属管装置の組合せ時には、内スリーブ２０ｂの嵌合溝２８に外保護管１０ａの当接端辺１６を挿入すれば、外保護管１０ａの当接端辺１６と内スリーブ２０ｂの嵌合溝２８が嵌合し、これにより内スリーブ２０ｂが外保護管１０ｂの内側に結合され、両者の結合固定が完成する。さらに、外保護管１０ａと内スリーブ２０ｂの嵌合後、さらに縁用金属管の端辺の内スリーブ２０ｂの嵌合端２５部分を挟持具を利用して加圧することにより、嵌合端２５と当接端辺１６の両者を僅かに変形させて緊密に固定し、外保護管１０ａと内スリーブ２０ｂの縦向方向の脱落を防止する。
【００２３】
外保護管１０ａと内スリーブ２０ｂの組合せで形成された防護板の縁用金属管は、内スリーブ２０ｂが閉じた状態を呈して外保護管１０の内側に位置し、外保護管１０ａの溝１４が収容当接空間を形成し、図１に示されるようであり、該溝１４に防護隔板３０が嵌め込まれ、防護隔板３０の両辺が外保護管１０ａの係止端１５により挟持され、全体として安定した防護板の縁用金属管装置を形成している。且つ係止端１５自身は平坦面とされ、ゆえに防護隔板３０と係止端１５の嵌合は相当に順調に行え、現場での組立作業に便利である。
さらに、外保護管１０ａの係止端１５と当接端辺１６はほぼ垂直に折り曲げられ、内スリーブ２０ｂの端部当接面２６と嵌合端２５はほぼ平行に折り曲げられ、ゆえに、外保護管１０ａと内スリーブ２０ｂの製造は一般のプレス或いはロール加工機で製造でき、これにより周知の縁用金属管装置に必要であった溶接、折り曲げや研磨の煩瑣なプロセスを免除し、経済効果の要求を達成できる。
図１２、１３は本発明の第６、７実施例の側面図であり、それはほぼ第５実施例の構造と同じであるが、異なる所は内スリーブ２０ｃが異なる深さの係止端２７を具え、すなわち該係止端２７が端部当接面２６の両端辺よりほぼ垂直に折り曲げられ、該嵌合端２５が該係止端２７より上向きにほぼ平行に折り曲げられ、且つ異なる深さの係止端２７が内スリーブ２０ｃの異なる深さの凹溝２９を形成し、該嵌合端が単独で横向きの嵌合溝２８を形成することにある。これにより、外保護管１０ａが異なる深さの凹溝２９を具えた内スリーブ２０ｃと組み合わされ、弾性的な組合せ変化を形成する。且つ外保護管１０ａの係止端１５と当接端辺１６、及び内スリーブ２０ｃの係止端２７、嵌合端２５はプレス或いはロール加工機械で折り曲げ加工形成され、ゆえに外保護管１０ａの係止端と内スリーブ２０ｃの係止端２７は平面を呈するように連接され、同様に防護隔板３０の順調の組合せの機能を達成する。
【００２４】
本発明の防護板の縁用金属管装置は実際の使用上、手すり用の縁用金属管装置に限られるわけではなく、支持柱体、間仕切り支柱、案内溝、スライドレール等に応用できる。また、本発明の防護板の縁用金属管装置の外保護管の形状は実際の使用上、円形管に限定されるわけではなく、半円形管、方形管、偏平管等も実施可能である。このほか、本発明の防護板の縁用金属管装置の内スリーブ形状は実際の使用上、必ずしも凹形とされる必要はない。
【００２５】
【発明の効果】
本発明の防護板の縁用金属管装置は少なくとも以下の機能を増進している。
１．防護板の縁用金属管装置は外保護管と内スリーブの組合せ方式とされ、周知の溶接及び研磨の煩瑣な工程を免除し、簡単に製作でき速やかに量産できる機能を有し、深い経済効果を有する。
２．溶接及び研磨の工程を免除したことにより、加工時間を節約し、コストを減らせるほか、溶接及び研磨工程のもたらす安全性と汚染性の心配をなくす。
３．本発明は分離式の構造組合せ設計であるため、防護板の縁用金属管装置の製造に周知の技術のように大きな面積を必要とせず、十分に鋼材帯板を利用し材料の損耗を減らせ、且つ内スリーブが内蔵式設計とされるため、廉価な鉄材或いはその他の構造材料を使用することができ、その全体の製造コストを減らすことができる。
４．本発明の防護板の縁用金属管装置は金属管装置表面に溶接ランが残らず金属管品質を高めることができる。
５．本発明の防護板の縁用金属管装置は調節互換性を有し、一つの外保護管に各種の異なる凹溝深さの内スリーブを組み合わせることができ、弾性的に組合せて運用でき、異なる嵌合状況の必要に応じることができる。
【００２６】
総合すると、本発明の防護板の縁用金属管装置は、独特の構造の特徴を有し、確実に本発明の目的の各項目の要求を達成し、且つ大幅に周知の製品の欠点を改善し、さらに未だ同じ構造特徴の製品の公開販売はない。ゆえに本発明は特許の要件を具備している。なお、上述の実施例は本発明の実施範囲を限定するものではなく、本発明に基づきなしうる細部の修飾或いは改変は、いずれも本発明の請求範囲に属するものとする。
【図面の簡単な説明】
【図１】本発明の第１実施例の立体組合せ図である。
【図２】本発明の第１実施例の立体分解図である。
【図３】本発明の第１実施例の組合せ側面図である。
【図４】図３の局部拡大図である。
【図５】本発明の第２実施例表示図である。
【図６】本発明の第３実施例表示図である。
【図７】本発明の第４実施例表示図である。
【図８】本発明の第５実施例の立体組合せ図である。
【図９】本発明の第５実施例の立体分解図である。
【図１０】本発明の第５実施例の組合せ側面図である。
【図１１】図１０の局部拡大図である。
【図１２】本発明の第６実施例の組合せ側面図である。
【図１３】本発明の第７実施例の組合せ側面図である。
【図１４】周知の防護板の縁用金属管装置の側面図である。
【図１５】周知の防護板の縁用金属管装置の立体図である。
【符号の説明】
１０　外保護管
２０　内スリーブ
１１　係止端
１２　溝
１３　嵌入端辺
２１　嵌合端
２２　凹溝
２３　嵌め辺
２４　嵌合溝
２４ａ　端部当接面
３０　防護隔板
２２ａ、２２ｂ　凹溝
２０１　端板
１０ａ　外保護管
１５　係止端
１６　当接端辺
２０ｂ　内スリーブ
２６　端部当接面
２５　嵌合端
２８　嵌合溝
１４　溝
２７　係止端
２０ｃ　内スリーブ
２９　凹溝
【図１】
2004124597.tif 000003
【図２】
2004124597.tif 000004
【図３】
2004124597.tif 000005
【図４】
2004124597.tif 000006
【図５】
2004124597.tif 000007
【図６】
2004124597.tif 000008
【図７】
2004124597.tif 000009
【図８】
2004124597.tif 000010
【図９】
2004124597.tif 000011
【図１０】
2004124597.tif 000012
【図１１】
2004124597.tif 000013
【図１２】
2004124597.tif 000014
【図１３】
2004124597.tif 000015
【図１４】
2004124597.tif 000016
【図１５】
2004124597.tif 000017